(57)【特許請求の範囲】
【請求項１】
化粧料を使用者の所定部位に塗布してマッサージするマッサージ具において、
前記使用者が把持するグリップ部と、
前記グリップ部の一方の端部に使用者の皮膚に接触する樹脂部材からなる皮膚接触部と、
前記グリップ部と前記皮膚接触部とを嵌合により着脱自在に保持するための嵌合部を有し、
前記皮膚接触部は、天面の一部に平面を有し、更に前記使用者に塗布する化粧料の塗布量に相当する少なくとも１つの凹みを有することを特徴とするマッサージ具。
【請求項２】
前記皮膚接触部は、天面に少なくとも１つの突起部を有することを特徴とする請求項１に記載のマッサージ具。
【請求項３】
前記嵌合部は、
前記皮膚接触部の挿入方向に対して凹型の溝部又は凸型のリブを有することを特徴とする請求項１又は２に記載のマッサージ具。
【請求項４】
前記グリップ部は、
先端部に突部が形成されるように傾斜部を有し、前記傾斜部には所定の径からなるフィレットが形成されていることを特徴とする請求項１乃至３の何れか１項に記載のマッサージ具。
【請求項５】
前記グリップ部は、
前記使用者の指が所定の位置で固定させる指置き用の凹み部を少なくとも１つ設けることを特徴とする請求項１乃至４の何れか１項に記載のマッサージ具。
【請求項６】
前記皮膚接触部が前記嵌合部と嵌合される際、前記皮膚接触部と前記嵌合部との間に硬度の異なる弾性体又は空間を設けることを特徴とする請求項１乃至５の何れか１項に記載のマッサージ具。
【発明の詳細な説明】
【技術分野】
【０００１】
本発明は、マッサージ具に係り、特にマッサージによる美容効果を向上させるためのマッサージ具に関する。
【背景技術】
【０００２】
従来、顔や手、肩、足等にマッサージを施すことにより血行を促進することで、健康や美容効果があることが知られている。また、マッサージを行うために使用者が手に持ち、各部に当ててマッサージを行うハンディタイプのマッサージ器に関する技術がある（例えば、特許文献１〜３参照）。
【０００３】
上述した特許文献１〜３に示されているマッサージ具は、例えば、円筒外周面をもつローラを皮膚上に当てこれを転動することによるマッサージ効果をもたらしている。なお、ローラを利用した美容健康装置としては、ローラに振動を与えてローラの転動によるマッサージ効果とローラの振動によるマッサージ効果との相乗効果を得ることを目的としたものがある。
【０００４】
また、マッサージ具に突起部を設け、その突起部を皮膚上に押動させることにより皮膚下にあるつぼを刺激することで、身体の新陳代謝を活性化させることは既に知られている（例えば、特許文献４参照。）。
【特許文献１】特開２００６−２３９３４９号公報
【特許文献２】特開２００５−２４５８２６号公報
【特許文献３】特開２００４−１３６５８１２号公報
【特許文献４】特開平８−１２６６７０号公報
【発明の開示】
【発明が解決しようとする課題】
【０００５】
ところで、美容という観点からは、上述したマッサージ具を用いて化粧料を塗布することが行われていた。しかしながら、ローラ部についた化粧料を拭き取る作業が毎回必要となり、使用者の手を煩わせていた。
【０００６】
また、最近の女性たちにとって、顔の中で最も重要なポイントは目であり、目のくまをなくしたり、小ジワをなくしたいといった色や肌に関する悩みや、肌、色に加えて特に瞼の形を変えたいと願っている人が多いが使用者のまぶたや目元のハリを効率的な手法で実感することができるマッサージ具やマッサージ方法は存在しなかった。
【０００７】
本発明は、上述した課題に鑑みてなされたものであって、マッサージによる美容効果を向上させるためのマッサージ具を提供することを目的とする。
【課題を解決するための手段】
【０００８】
上述した課題を解決するために、本件発明は、以下の特徴を有する課題を解決するための手段を採用している。
【０００９】
請求項１に記載された発明は、化粧料を使用者の所定部位に塗布してマッサージするマッサージ具において、前記使用者が把持するグリップ部と、前記グリップ部の一方の端部に使用者の皮膚に接触する樹脂部材からなる皮膚接触部と、前記グリップ部と前記皮膚接触部とを嵌合により着脱自在に保持するための嵌合部を有し、前記皮膚接触部は、天面の一部に平面を有し、更に前記使用者に塗布する化粧料の塗布量に相当する少なくとも１つの凹みを有することを特徴とする。
【００１０】
請求項１記載の発明によれば、マッサージによる美容効果を向上させることができる。特に、目元のハリを実感することができる。
【００１１】
請求項２に記載された発明は、前記皮膚接触部は、天面に少なくとも１つの突起部を有することを特徴とする。
【００１２】
請求項２記載の発明によれば、使用者の皮膚を刺激することができ、美容効果を更に向上させることができる。
【００１３】
請求項３に記載された発明は、前記嵌合部は、前記皮膚接触部の挿入方向に対して凹型の溝部又は凸型のリブを有することを特徴とする。
【００１４】
請求項３記載の発明によれば、マッサージ具を回転させるような使用を行った場合にグリップ部の回転に対する皮膚接触部の空回転を防止することができる。
【００１５】
請求項４に記載された発明は、前記グリップ部は、先端部に突部が形成されるように傾斜部を有し、前記傾斜部には所定の径からなるフィレットが形成されていることを特徴とする。
【００１６】
請求項４記載の発明によれば、使用者の持ちやすさを向上することができる。更に先端部に突部を設けることにより、つぼの刺激等を行うこともでき、美容効果を向上させることができる。
【００１７】
請求項５に記載された発明は、前記グリップ部は、前記使用者の指が所定の位置で固定させる指置き用の凹み部を少なくとも１つ設けることを特徴とする。
【００１８】
請求項５記載の発明によれば、グリップ部に対する指の位置を安定させることができ、効率的に押圧力を指からマッサージ具を介して皮膚に伝達させることができる。
【００１９】
請求項６に記載された発明は、前記皮膚接触部が前記嵌合部と嵌合される際、前記皮膚接触部と前記嵌合部との間に硬度の異なる弾性体又は空間を設けることを特徴とする。
【００２０】
請求項６記載の発明によれば、皮膚接触部の天面に適切な押圧力を伝達することができる。これにより、効果的なマッサージを実現することができ、美容効果を向上させることができる。
【発明の効果】
【００２３】
本発明によれば、マッサージによる美容効果を向上させることができる。特に、目元のハリを実感することができる。
【発明を実施するための最良の形態】
【００２４】
＜本発明の概要＞
本発明は、毎日のスキンケアで、目がぱっちりと大きくなる“まぶた変身”スキンケアを提供する。また、美容効果をより促進するため、美容液をつけて、まぶたを簡単にマッサージできるマッサージ具を用いてスキンケアを使用者が容易に継続してマッサージできるようにする。
【００２５】
目のまわりに塗布することで、まぶたを持ち上げ、目をはっきり・くっきりさせ、毎日繰り返すことで、クセをつけ目をひとまわり大きく拡大させることができる。また、同時に、目元のくま、しわっぽさ、むくみを解消することができる。
【００２６】
＜マッサージ具について＞
ここで、本実施形態におけるマッサージ具の一例について図を用いて説明する。図１は、本実施形態におけるマッサージ具の概要の一例を示す図である。なお、本実施形態では、一例としてスティック状のマッサージ具（マッサージスティック）を示しているが外形状については特に制限されない。図１に示すマッサージ具（マッサージスティック）１０は、皮膚接触部（カバー部）１１と、グリップ（ハンドル部）部１２と、皮膚接触部１１と、グリップ部１２とを嵌合させるための嵌合部１３と、皮膚接触部１１を覆い、グリップ部と嵌合することで固定されるキャップ部材１４とを有するよう構成されている。
【００２７】
皮膚接触部１１は、使用者の皮膚を押圧したり、摺動させることにより、皮膚に刺激を与え、マッサージを行うものである。なお、皮膚接触部１１の天面にはゲル状組成物等を含む美容液等の化粧料を塗布できるような凹みや凹凸を設けていてもよい。また、皮膚接触部１１は、適度な刺激を皮膚に与えるために所定の厚みを設けると共に嵌合部１３との間にスポンジ部材を設けるようにしてもよい。なお、皮膚接触部１１は、シリコーンゴムやエラストマー等の樹脂材質を使用することができる。皮膚接触部１１の具体的な構成等については、後述する。
【００２８】
また、グリップ部１２は、ＡＳ（Ａｃｒｙｌｏｎｉｔｒｉｌｅ  Ｓｔｙｒｅｎｅ  ｃｏｐｏｌｙｍｅｒ：アクリロニトリル・スチレン共重合体）、ＰＥＴ（Ｐｏｌｙｅｔｈｙｌｅｎｅ  Ｔｅｒｅｐｈｔｈａｌａｔｅ）、ＰＰ（Ｐｏｌｙｐｒｏｐｙｌｅｎｅ）等の樹脂や木、金属製等の材質からなる。また、形状は、使用者が手に持ち易く更に皮膚接触部１１を皮膚の所定部位周辺に当てマッサージ動作をし易いように図１に示すようにテーパ状に形成されていてもよい。また先端部１５には、丸みを設けておくことで、つぼ等を刺激するときに活用することができる。なお、グリップ部１２の形状については、本発明においては特に限定されるものではない。
【００２９】
また、嵌合部１３は、グリップ部１２と一体に形成されており、皮膚接触部１１をグリップ部１２の先端に取り付けるための嵌合部分である。なお、皮膚接触部１１の内側及び嵌合部１３の表面にそれぞれ対応する凹凸を設け、皮膚接触部１１による変形による着脱と交換を容易に行うことができる。
【００３０】
なお、皮膚接触部１１と嵌合部１３とは、接着剤等により接着されていてもよい。また、キャップ部１４は、例えば透明のＰＰ（ポリプロピレン：Ｐｏｌｙｐｒｏｐｙｌｅｎｅ）等の樹脂材料等からなり、皮膚接触部１１を覆ってグリップ部１２の表面とキャップ部１４の内部に設けられた凹凸形状とにより嵌合保持されている。
【００３１】
また、皮膚接触部１１、グリップ部１２、嵌合部１３、キャップ部材１４の色は、何色でもよく、統一されていても非統一であってもよい。
【００３２】
＜皮膚接触部１１：天面について＞
次に、上述した皮膚接触部１１の天面の形状について図を用いて説明する。図２は、皮膚接触部の天面の形状を説明するための一例を示す図である。図２に示す皮膚接触部１１は、円筒形状であるが特に制限されるものではなく、楕円形や多角形上に形成されていてもよい。図２（ａ）に示す皮膚接触部１１は、使用者皮膚と接触する天面に少なくとも１つの凹部（図２では、一例として凹部２１，２１）が形成されている。この凹部２１，２１は、それぞれ直径φがマッサージの際に皮膚に塗布する美容液等の化粧料の使用量の目安となる量となっていることが好ましい。
【００３３】
したがって、使用量に応じて凹み部分を少なくとも１つ形成することにより、使用目的や使用する化粧料の種類に応じて最適な量をチューブ等から容易に抽出することができる。
【００３４】
なお、図２（ａ）に示す例では、皮膚接触部１１の円筒部の直径Ａは、φ１０〜２５ｍｍ程度であればよく、φ１５ｍｍが好ましい。また、凹部２１の直径Ｂは、φ８〜１２ｍｍ程度であればよく、φ１０ｍｍが好ましい。また、凹部２２の直径Ｃは、φ４〜８ｍｍ程度であればよく、φ６ｍｍ程度が好ましい。これにより、最適な使用量をチューブ等から出すことができる。また凹部２１と外形との間には、傾斜Ｒを設けておくことができる。
【００３５】
また、図２（ｂ）に示す例では、天面に少なくとも１つの凸部２３を設けている。なお、図2(ｂ)に示す例では、半円形上の凸部となっているが、本発明においてはこれに限定されず楕円形や円筒状に形成されていてもよい。この凸部２３を設けることにより、皮膚のマッサージ効果やつぼ押し効果等を向上させることができ、更に美容液の液漏れを防止することができる。なお、凸部２３は、天面と一体に形成されてもよく、別体に形成している。
【００３６】
＜皮膚接触部１１の嵌合強度について＞
次に皮膚接触部１１のグリップ１部１２に対する装着時の嵌合強度について説明する。図３は、皮膚接触部の装着の様子を説明するための一例の図である。
【００３７】
図３に示すように、嵌合部１３とグリップ部１２との接触部分には凹み部３１が形成されている。また、嵌合部１３には、皮膚接触部１１が着脱される方向に対して溝部３２が形成されている。一方、皮膚接触部１１にも凹み部３１に対応して嵌合部１３の直径よりも挿入口３３の径を、皮膚接触部１１の弾性により嵌合部１３に挿入できる程度を基準に小さくすることにより嵌合することができる。更に、皮膚接触部１１の内側には、溝部３２に対応した突部３４を有することにより、より強固に固定することができる。
【００３８】
なお、溝部３２と突部３４とで対応付けられていれば、皮膚接触部１１又は嵌合部１３の何れかに形成されていてもよい。したがって、例えば、嵌合部１３に皮膚接触部１１の挿入方向に対して凹型の溝部ではなく、凸型のリブが形成され、皮膚接触部１１の対応する位置に溝部が形成されていてもよい。
【００３９】
これにより、マッサージ具１０を回転させるような使用を行った場合に、グリップ部１２の回転に対する皮膚接触部１１の空回転を防止することができ、使用性を向上させることができる。
【００４０】
なお、図３に示すキャップ部材１４の内側にも着脱方向の突部３４と円筒状に突部３５を設けることにより、グリップ部１２の外周と突部とを接触させることで、キャップをした状態で保持させ、更に、突部３６により、挿入する位置を固定させることができる。
【００４１】
ここで、皮膚接触部１１と嵌合部１３との嵌合強度については、マッサージ中又は天面についた美容液の拭き取り等の使用性の観点からひっぱりやねじり等の検討し、硬度２０〜４５程度、天面の厚みｄ１は４〜８ｍｍ程度、空洞部の長さｄ２は１６ｍｍ〜２０ｍｍ程度する。なお、具体的には、特に硬度２５〜３５、厚みｄ１は４〜６ｍｍ、長さｄ２は１８ｍｍが好ましい。
【００４２】
＜皮膚接触部１１の装着時の様子＞
次に、皮膚接触部１１が装着時の様子について図を用いて説明する。図４は、皮膚接触部の具体例を示す図である。上述したように、皮膚接触部１１は、嵌合部１３と嵌合することにより固定される。ここで、スティックの機構のまぶた・目周り部のマッサージのし易さに与える影響に基づいて、以下に示すような実施形態が考えられる。
【００４３】
例えば、図４（ａ）に示すように、嵌合時には、皮膚接触部１１の天面の裏部と嵌合部１３の天面とが当接した状態で接触されている。これにより、皮膚接触部１１を安定して保持することができる。また、図４（ｂ）に示すように、内部に空間４１が含まれるように保持されていてもよい。これにより、天面の弾性を保持することができる。
【００４４】
また、図４（ｃ）に示すように、内部にゴム板等の弾性体４２（図４（ｃ）では、２層のゴム板４２−１，４２−２）を１又は複数積層して設ける。これにより、天面の弾性を適度にすることができる。更に、図４（ｄ）に示すようにスポンジ状のものを１又は複数積層して設けてもよい。なお、スポンジ４３−１、４３−２の材質としては、綿や、ポリエステル、アクリル、ナイロン等を用いることができる。
【００４５】
ここで、図４（ｅ）に示すように皮膚接触部１１の内部にスポンジ４３を有し、更にその下部には、金属部材４４を有していてもよい。これにより、皮膚接触部１１の断面に所定の弾性係数を維持することができる。更に、皮膚接触部１１は、保持部材４５により保持するようにしてもよい。
【００４６】
なお、皮膚接触部１１は、シリコーンゴムやエラストマーでなくてもよく、例えばＴＰＵ（Ｔｈｅｒｍｏｐｌａｓｔｉｃ  Ｐｏｌｙｕｒｅｔｈａｎｅ：熱可塑性ポリウレタン）等を使用することができる。なお、量産性の面からは図４（ａ）〜（ｄ）の構成が好ましく、使用性の面からは図４（ｃ）、（ｄ）が好ましい。
【００４７】
＜グリップ部１２について＞
次に、グリップ部１２について具体的に説明する。図５は、マッサージ具のグリップ部の具体例を説明するための一例の図である。なお、図５は、何れかも皮膚接触部１１が装着している図を示している。また、図５（ｂ）〜（ｄ）については、一方を軸方向に９０°回転させた図を示している。
【００４８】
図５（ａ）に示されている例では、グリップ部１２に対して使用者が把持し易くするため、側面に傾斜部を有すると共にフィレットを設ける。なお、径Ｒはスティック全体の長さや太さにより異なる場合があるが、例えばＲ７５０〜８５０程度がよく、特にＲ８００が好ましい。なお、傾斜を持たせずに円筒径にしてもよく、また凹みを設けてもよい。
【００４９】
具体的には、図５（ｂ）に示すように、例えば、グリップ部１２は、親指と人差し指とで把持する際に安定し易くするため、傾斜部の一部に平面部５１を設けた構成にしてもよい。また、グリップ部１２は、指の位置を固定させるために少なくとも１つの凹み部からなる指置き部５２が設けられてもよい。なお、グリップ部１２の位置は、図５（ｃ）に示すように傾斜部分に設けられていてもよく、また、図５（ｄ）に示すように平坦部分に設けられていてもよい。これにより、使用者は所定の位置で保持し易くなる。
【００５０】
上述した美容液とマッサージ具１０を用いてマッサージを行うことにより、目まわりの筋肉繊維をほぐして引き上げると共に、皮膚の衰えを防ぎ目元に豊かな表情をつくることができる。また、マッサージ具１０の先端部１５を用いることで、つぼを押す等のマッサージも容易且つ効率的に行うことができる。
【００５１】
＜マッサージ具を用いたマッサージ方法＞
次に、上述した実施形態におけるマッサージ具１０を用いたマッサージ方法について説明する。図６は、本実施形態におけるマッサージ具を用いたマッサージ手順を説明するための一例を示すフローチャートである。また、図７は、マッサージ方法を具体的に説明するための一例を示す図である。
【００５２】
まず、指先６１にゲル状組成物等を含む美容液（例えば、片目で０．２ｇ程度）をとり（図７（ａ））、目の周りに広げる（Ｓ０１）。具体的には、図７（ｂ）に示すように、目の回りに数回くるくると広げる。次に、指先で上まぶたと下まぶたの上をそれぞれ数回左右に往復させる（Ｓ０２）。具体的には、図７（ｃ）に示すように、目頭から目尻にかけて往復する（例えば、上まぶたと下まぶたで各３回程度）。
【００５３】
次に、マッサージスティックに美容液を所定量とり（図７（ｄ））、天面を使って、１）ほお骨の上からこめかみ、２）眉の上からこめかみ、３）眉の上から額（髪の生え際）に向かって、筋肉引き上げるようにのばす（Ｓ０３，図７（ｅ），（ｆ））。具体的には、図７（ｆ）に示すように、目尻から額にかけて摺り上げるようにして額を持ち上げる。
【００５４】
最後に、指６１の腹全体を使って（図７（ｇ））、しっかりなじませる（Ｓ０４,図７（ｈ））。
【００５５】
上述したマッサージ方法に行うことにより、うるおいと、すっきりとした清涼感がひろがり、まぶたに「ピンッ」と張ったようなハリ感を与えることができ、ぱっちりとした印象を与えることができる。また、例えばジェル状の目元用美容液等を用いることで、ハリ感のあるぱっちりとした印象の目元に整えることができる。
【００５６】
なお、上述のマッサージ方法は、マッサージ具（マッサージスティック）１０を使用して所定部位のつぼを刺激することもでき、これにより更に美容効果を向上させることができる。
【００５７】
上述したように、本発明によれば、マッサージによる美容効果を向上させることができる。特に、目元のハリを実感することができる。具体的には、本実施形態におけるマッサージ具を用いることにより、使用者は簡単に適切な箇所の目元マッサージを行うことができる。したがって、「ピンッ」としたハリ感をまぶたに与えることができる。また、うるおいをたっぷり補給し、目元の乾燥を防ぎ、かげりのない明るくクリアな目元に整えることができる。なお、上述のマッサージ方法は、夜の保湿液の後に使用するのが好ましい。
【００５８】
以上本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【００５９】
【図１】本実施形態におけるマッサージ具の概要の一例を示す図である。
【図２】皮膚接触部の天面の形状を説明するための一例を示す図である。
【図３】皮膚接触部の装着の様子を説明するための一例の図である。
【図４】皮膚接触部の具体例を示す図である。
【図５】マッサージ具のグリップ部の具体例を説明するための一例の図である。
【図６】本実施形態におけるマッサージ具を用いたマッサージ手順を説明するための一例を示すフローチャートである。
【図７】マッサージ方法を具体的に説明するための一例を示す図である。
【符号の説明】
【００６０】
１０  マッサージ具
１１  皮膚接触部（カバー部）
１２  グリップ部（ハンドル部）
１３  嵌合部
１４  キャップ部材
１５  先端部
２１，２２  凹部
２３  凸部
３１  凹み部
３２  溝部
３３  挿入口
３４，３５，３６  突部
４１  空間
４２  ゴム板
４３  スポンジ
４４  金属部材
４５  保持部材
５１  平面部
５２  指置き部
６１  指先
【図１】
0005122223.tif 000002
【図２】
0005122223.tif 000003
【図３】
0005122223.tif 000004
【図４】
0005122223.tif 000005
【図５】
0005122223.tif 000006
【図６】
0005122223.tif 000007
【図７】
0005122223.tif 000008